(57)【要約】【課題】主画像の裏移りを目立ち難くすることを目的とする。【解決手段】透明性を有する媒体に有色インクを吐出するノズルを有する印刷装置であって、前記媒体に主画像と背景画像を重ねた画像を印刷する場合、前記背景画像において前記主画像が印刷される表面と反対側の裏面に、前記背景画像に対する前記主画像の印刷位置及び前記主画像の色に応じた補助画像を印刷することを特徴とする印刷装置である。【選択図】図４
2012076371.tif 000002
【特許請求の範囲】
【請求項１】
透明性を有する媒体に有色インクを吐出するノズルを有する印刷装置であって、
前記媒体に主画像と背景画像を重ねた画像を印刷する場合、
前記背景画像において前記主画像が印刷される表面と反対側の裏面に、前記背景画像に対する前記主画像の印刷位置及び前記主画像の色に応じた補助画像を印刷する、
ことを特徴とする印刷装置。
【請求項２】
請求項１に記載の印刷装置であって、
前記補助画像として、前記背景画像の前記裏面のうち、前記背景画像の前記表面において前記主画像が印刷される領域と対向する領域に、前記主画像の色相と反対の色相である第１の画像を印刷する、
印刷装置。
【請求項３】
請求項２に記載の印刷装置であって、
前記第１の画像は、前記主画像の明度よりも高い明度である特性と、前記主画像の彩度よりも低い彩度である特性とのうちの少なくとも一方の特性を有する、
印刷装置。
【請求項４】
請求項２または請求項３に記載の印刷装置であって、
前記補助画像として、前記背景画像の前記裏面のうち、前記背景画像の前記表面において前記主画像が印刷されない領域と対向する領域に、無彩色である第２の画像を印刷する、
印刷装置。
【請求項５】
請求項１に記載の印刷装置であって、
前記背景画像の前記裏面のうち、前記背景画像の前記表面において前記主画像が印刷されない領域と対向する領域に、前記主画像の縁の色相と同一の色相である補助画像を印刷する、
印刷装置。
【請求項６】
請求項５に記載の印刷装置であって、
前記補助画像は、前記主画像の明度よりも高い明度である特性と、前記主画像の彩度よりも低い彩度である特性とのうちの少なくとも一方の特性を有する、
印刷装置。
【請求項７】
透明性を有する媒体に主画像と背景画像を重ねた画像を印刷する印刷方法であって、
前記媒体に背景画像を印刷することと、
前記背景画像の表面に主画像を印刷することと、
前記背景画像の裏面に、前記背景画像に対する前記主画像の印刷位置及び前記主画像の色に応じた補助画像を印刷することと、
を有することを特徴とする印刷方法。
【発明の詳細な説明】
【技術分野】
【０００１】
本発明は、印刷装置、及び、印刷方法に関する。
【背景技術】
【０００２】
印刷装置の一つとして、媒体に対してノズルからインクを吐出するヘッドを有するインクジェットプリンター（以下、プリンター）が知られている。近年、紙媒体だけでなく透明フィルム等にも画像が印刷されるようになった。透明フィルムに主画像を印刷する場合、白インク等による背景画像上に主画像を印刷することで、主画像の発色性を良くすることができる（例えば、特許文献１を参照）。
【先行技術文献】
【特許文献】
【０００３】
【特許文献１】特開２００８−２００８５３号公報
【発明の概要】
【発明が解決しようとする課題】
【０００４】
ただし、主画像と背景画像を重ねた印刷物において、背景画像の遮蔽性が良くないと、印刷物を背景画像側から視認した際に、主画像が透けて見えてしまうため、見栄えが悪い。特に、主画像が有彩色であると裏移りが目立ち易い。  
そこで、本発明は、主画像の裏移りを目立ち難くすることを目的とする。
【課題を解決するための手段】
【０００５】
前記課題を解決する為の主たる発明は、透明性を有する媒体に有色インクを吐出するノズルを有する印刷装置であって、前記媒体に主画像と背景画像を重ねた画像を印刷する場合、前記背景画像において前記主画像が印刷される表面と反対側の裏面に、前記背景画像に対する前記主画像の印刷位置及び前記主画像の色に応じた補助画像を印刷する、ことを特徴とする印刷装置である。  
本発明の他の特徴は、本明細書、及び添付図面の記載により、明らかにする。
【図面の簡単な説明】
【０００６】
【図１】プリンターの全体構成ブロック図である。
【図２】プリンターの斜視図である。
【図３】ヘッドの下面に設けられるノズルの配列を示す図である。
【図４】図４Ａは第１実施例の表刷りモードの印刷物を説明する図であり、図４Ｂは第１実施例の裏刷りモードの印刷物を説明する図である。
【図５】図５Ａから図５Ｃは裏移り抑制画像の色を説明する図である。
【図６】複数の画像を重ねて印刷する印刷物の印刷方法例を示す図である。
【図７】複数の画像を重ねて印刷する印刷物の印刷方法例を示す図である。
【図８】複数の画像を重ねて印刷する印刷物の印刷方法例を示す図である。
【図９】第２実施例の印刷物を説明する図である。
【図１０】第３実施例の印刷物を説明する図である。
【図１１】図１１Ａ及び図１１Ｂは裏移り抑制画像の色を説明する図である。
【図１２】図１２Ａから図１２Ｃは２色の画像から構成される主画像に対する裏移り抑制画像の印刷例を示す。
【図１３】図１３Ａから図１３Ｃは２色の画像から構成される主画像に対する裏移り抑制画像の印刷例を示す。
【図１４】変形例のプリンターを説明する図である。
【発明を実施するための形態】
【０００７】
＝＝＝開示の概要＝＝＝
本明細書の記載、及び添付図面の記載により、少なくとも次のことが明らかとなる。
【０００８】
即ち、透明性を有する媒体に有色インクを吐出するノズルを有する印刷装置であって、前記媒体に主画像と背景画像を重ねた画像を印刷する場合、前記背景画像において前記主画像が印刷される表面と反対側の裏面に、前記背景画像に対する前記主画像の印刷位置及び前記主画像の色に応じた補助画像を印刷する、ことを特徴とする印刷装置である。  
このような印刷装置によれば、背景画像の裏面における主画像の裏移りを目立ち難くすることができる。  
また、前記背景画像の前記裏面から透けて視認される前記主画像の裏移り画像と前記補助画像とを協調させて、前記裏移り画像を目立ち難くする印刷装置である。
【０００９】
かかる印刷装置であって、前記補助画像として、前記背景画像の前記裏面のうち、前記背景画像の前記表面において前記主画像が印刷される領域と対向する領域に、前記主画像の色相と反対の色相である第１の画像を印刷すること。  
このような印刷装置によれば、背景画像の裏面から視認される画像を無彩色に近づけることができ、主画像の裏移りを目立ち難くすることができる。
【００１０】
かかる印刷装置であって、前記第１の画像は、前記主画像の明度よりも高い明度である特性と、前記主画像の彩度よりも低い彩度である特性とのうちの少なくとも一方の特性を有すること。  
このような印刷装置によれば、背景画像の裏面から視認される画像をより無彩色に近づけることができる。
【００１１】
かかる印刷装置であって、前記補助画像として、前記背景画像の前記裏面のうち、前記背景画像の前記表面において前記主画像が印刷されない領域と対向する領域に、無彩色である第２の画像を印刷すること。  
このような印刷装置によれば、背景画像の裏面に裏移りする主画像の形状を判別し難くすることができ、主画像の裏移りを目立ち難くすることができる。
【００１２】
かかる印刷装置であって、前記背景画像の前記裏面のうち、前記背景画像の前記表面において前記主画像が印刷されない領域と対向する領域に、前記主画像の縁の色相と同一の色相である補助画像を印刷すること。  
このような印刷装置によれば、背景画像の裏面に裏移りする主画像と補助画像を同化させることができ、主画像の裏移りを目立ち難くすることができる。
【００１３】
かかる印刷装置であって、前記補助画像は、前記主画像の明度よりも高い明度である特性と、前記主画像の彩度よりも低い彩度である特性とのうちの少なくとも一方の特性を有すること。  
このような印刷装置によれば、背景画像の裏面に裏移りする主画像と補助画像をより同化させることができる。
【００１４】
また、透明性を有する媒体に主画像と背景画像を重ねた画像を印刷する印刷方法であって、前記媒体に背景画像を印刷することと、前記背景画像の表面に主画像を印刷することと、前記背景画像の裏面に、前記背景画像に対する前記主画像の印刷位置及び前記主画像の色に応じた補助画像を印刷することと、を有することを特徴とする印刷方法である。  
このような印刷方法によれば、背景画像の裏面における主画像の裏移りが目立ち難い画像を印刷することができる。
【００１５】
＝＝＝印刷システムについて＝＝＝
図１は、プリンター１の全体構成ブロック図である。図２は、プリンター１の斜視図である。印刷装置をインクジェットプリンター（以下、プリンター１）とし、プリンター１とコンピューター６０が接続された印刷システムを例に挙げて実施形態を説明する。コンピューター６０は、プリンター１と通信可能に接続されており、プリンター１に画像を印刷させるための印刷データをプリンター１に出力する。なお、コンピューター６０には、アプリケーションプログラムから出力された画像データを印刷データに変換するためのプログラム（プリンタードライバー）がインストールされている。プリンタードライバーは、ＣＤ−ＲＯＭなどの記録媒体（コンピューターが読み取り可能な記録媒体）に記録されていたり、インターネットを介してコンピューターにダウンロード可能であったりする。
【００１６】
コントローラー１０は、プリンター１の制御を行うための制御ユニットである。インターフェース部１１はコンピューター６０とプリンター１との間でデータの送受信を行うためのものである。ＣＰＵ１２はプリンター１全体の制御を行うための演算処理装置である。メモリー１３はＣＰＵ１２のプログラムを格納する領域や作業領域等を確保するためのものである。ＣＰＵ１２はユニット制御回路１４により各ユニットを制御する。なお、プリンター１内の状況を検出器群５０が監視し、その検出結果に基づいて、コントローラー１０は各ユニットを制御する。
【００１７】
搬送ユニット２０は、媒体Ｓを印刷可能な位置に送り込み、印刷時には搬送方向に所定の搬送量で媒体Ｓを搬送させるものである。  
キャリッジユニット３０は、ヘッド４１を搬送方向と交差する移動方向に移動させるためのものであり、キャリッジ３１を有する。  
ヘッドユニット４０は、媒体Ｓにインクを吐出するためのものであり、ヘッド４１を有する。ヘッド４１はキャリッジ３１によって移動方向に移動する。ヘッド４１の下面には、インク吐出部であるノズルが複数設けられ、各ノズルには、インクが入ったインク室（不図示）が設けられている。
【００１８】
図３は、ヘッド４１の下面に設けられるノズルの配列を示す図である。なお、図はヘッド４１の上面から仮想的にノズルを見た図である。ヘッド４１の下面には、インク（有色インク）を吐出する１８０個のノズルが搬送方向に所定の間隔Ｄで並んだノズル列が５列形成されている。図示するように、ブラックインクを吐出するブラックノズル列Ｋ・シアンインクを吐出するシアンノズル列Ｃ・マゼンタインクを吐出するマゼンタノズル列Ｍ・イエローインクを吐出するイエローノズル列Ｙ・白インクを吐出するホワイトノズル列Ｗが、移動方向に並んでいる。なお、各ノズル列が有する１８０個のノズルに対して、搬送方向の下流側のノズルから順に小さい番号を付す（＃１〜＃１８０）。
【００１９】
このようなプリンター１では、移動方向に沿って移動するヘッド４１からインク滴を断続的に吐出させて媒体上にドットを形成するドット形成処理と、媒体をヘッド４１に対して搬送方向に搬送する搬送処理とが繰り返される。そうすることで、先のドット形成処理により形成されたドットの位置とは異なる媒体上の位置に、後のドット形成処理にてドットを形成することができ、媒体上に２次元の画像を印刷することができる。なお、ヘッド４１がインク滴を吐出しながら移動方向に１回移動する動作（１回のドット形成処理）を「パス」と呼ぶ。また、移動方向に沿うドット列を「ラスターライン」と呼ぶ。
【００２０】
＝＝＝第１実施例＝＝＝
図４Ａは、第１実施例において表刷りモードで印刷される印刷物を説明する図であり、図４Ｂは、第１実施例において裏刷りモードで印刷される印刷物を説明する図である。本実施形態では、透明性を有する媒体に主画像と背景画像を重ねた印刷物を印刷する。透明性を有する媒体は、例えば、光を透過する透明フィルム等が挙げられる。完全に透明な媒体に限らず、半透明の媒体でもよい。主画像は４色のインク（ＹＭＣＫ）によって印刷されるカラー画像（モノクロ画像も含む）であり、背景画像は白インクによって印刷される白色の画像である。このように背景画像と主画像を重ねて印刷することで、主画像の発色性を向上し、且つ、主画像を視認する際に媒体の反対側が見えてしまうことを防止できる。
【００２１】
なお、本明細書における「白色」とは、可視光線のすべての波長を１００％反射する物体の表面色である厳密な意味での白色に限らず、所謂「白っぽい色」のように社会通念上、白色と呼ばれる色を含むものとする。「白色」とは、例えば、（１）x-rite社製の測色機eye-oneProを用いて、測色モード：スポット測色、光源：Ｄ５０、バッキング：Ｂｌａｃｋ、印刷媒体：透明フィルムで測色した場合に、Ｌ＊ａ＊ｂ＊色空間での標記がａ＊ｂ＊平面上で半径２０の円周及びその内側にあり、且つ、Ｌ＊値が７０以上で表される色相範囲内の色か、（２）ミノルタ製測色計CM2022を用いて、測定モード：Ｄ５０２°視野、ＳＣＦモード、白地バックで測色した場合に、Ｌ＊ａ＊ｂ＊色空間での標記がａ＊ｂ＊平面上で半径２０の円周及びその内側にあり、且つ、Ｌ値が７０以上で表される色相範囲内の色か、（３）特開２００４−３０６５９１号公報に記載されているように画像の背景として用いられるインクの色かをいい、背景として用いられるのであれば純粋な白に限られない。
【００２２】
また、白インクのみを使用して背景画像を印刷すると、その白インクの色そのものの色が背景画像となる。しかし、同じように白インクと呼ばれるインクであっても、インクの材料などによって白色の色味が若干異なる。そのため、使用する白インクによってユーザーが所望する色とは異なる色の背景画像が印刷されてしまう場合がある。また、単純な白色ではなく、若干の有彩色を有する背景画像が所望されることもある。そこで、本実施形態では、白インクと共に、少量の４色インク（ＹＭＣＫ）を適宜使用して、所望の白色の背景画像（調整された白色の背景画像）を印刷する。そうすることで、逆に、白インクが若干の色彩を有する場合、その色彩を打ち消すインクと共に背景画像を印刷し、背景画像を無彩色に近づけることもできる。
【００２３】
所望の白色の背景画像をプリンター１に印刷させるための印刷データは、プリンター１が予め記憶するようにしても良いし、プリンタードライバーが作成するようにしても良い。プリンター１のモニターやコンピューターの画面をユーザーが見るなどして、所望の背景画像の色の選択が行われる場合には、選択された色に応じた背景画像の印刷データが生成されるようにするとよい。
【００２４】
このように本実施形態では、主画像と背景画像を重ねて印刷するが、背景画像の遮蔽性が不十分であると、背景画像側から主画像が透けて見えてしまう。即ち、背景画像に主画像が裏移りしてしまう。そうすると、見栄えが悪い印刷物となってしまう。例えば、店舗のウィンドウに貼り付ける印刷物であり、店舗外から主画像を視認する印刷物の場合、背景画像側に主画像が裏移りしてしまうと、店舗内の人から主画像が透けて見えてしまうため見苦しい。
【００２５】
背景画像を厚く印刷することで、主画像の裏移りを抑制することができるが、白インクの消費量が増えてしまう。また、媒体の単位面積あたりに吐出可能なインク量に制限がある場合、背景画像を厚く印刷すると、主画像を印刷するためのインク量が少なくなり、主画像の画質が低下してしまう。特に、白インクの色材として中空ポリマー微粒子を使用するインクでは、遮蔽性があまり良くなく、背景画像の遮蔽性に限界がある。一方、白インクの色材として、遮蔽性の良い二酸化チタンを使用することも可能であるが、沈降性が高い。そのため、沈降性の対策として、例えば、インク循環システムが必要となる。
【００２６】
よって、本実施形態では、透明性の有る媒体に主画像と背景画像を重ねて印刷する場合に、背景画像側における主画像の裏移りを目立ち難くすることを目的とする。
【００２７】
そこで、本実施形態では、背景画像において主画像が印刷される面（表面）と反対側の面（裏面）に、背景画像に対する主画像の印刷位置及び主画像の色に応じた「裏移り抑制画像（補助画像）」を印刷する。
【００２８】
なお、本実施形態のプリンター１では、主画像を印刷面側から視認する「表刷りモード」と、媒体を介して印刷面と反対側から主画像を視認する「裏刷りモード」の何れかのモードによって、画像を印刷することが可能であるとする。
【００２９】
表刷りモードの場合には、図４Ａに示すように、媒体上に、まず、裏移り抑制画像（クロスハッチ部）が印刷され、その上に背景画像（白塗り部）が印刷され、更にその上に主画像（黒塗り部）が印刷される。表刷りモードでは、印刷面側が背景画像の表面側となり、印刷面と反対側が背景画像の裏面側となる。  
裏刷りモードの場合には、図４Ｂに示すように、媒体上に、まず、主画像が印刷され、その上に背景画像が印刷され、更にその上に裏移り抑制画像が印刷される。裏刷りモードでは、印刷面側が背景画像の裏面側となり、印刷面と反対側が背景画像の表面側となる。
【００３０】
＜裏移り抑制画像について＞
第１実施例では、図４Ａや図４Ｂに示すように、背景画像の裏面のうち、背景画像の表面において主画像が印刷される領域と対向する領域に、裏移り抑制画像（第１の画像に相当）を印刷する。即ち、背景画像を介して主画像が印刷される位置と反対側の位置に裏移り抑制画像が印刷され、背景画像を介して主画像と裏移り抑制画像が重なるように裏移り抑制画像が印刷される。印刷物を裏面から視認すると、背景画像の裏面に裏移りする主画像（以下、裏移り画像とも呼ぶ）と裏移り抑制画像が重なって視認される。このように、裏移り抑制画像は、背景画像に対する主画像の印刷位置に応じた画像である。
【００３１】
図５Ａから図５Ｃは、裏移り抑制画像の色を説明する図である。図は、（ＣＩＥ）Ｌ＊ａ＊ｂ＊色空間における主画像の色と裏移り抑制画像の色の位置を示す。Ｌ＊ａ＊ｂ＊色空間における主画像の色を点Ｃ１で示し、裏移り抑制画像の色を点Ｃ２で示す。Ｌ＊ａ＊ｂ＊色空間では、明度をＬ軸で示し、色相および彩度をａ軸とｂ軸で示す。なお、図５Ａ及び図５ＢはＬ＊ａ＊ｂ＊色空間におけるａ＊ｂ＊平面を示す図である。図５Ｃに示すＬ軸のプラス方向（＋Ｌ＊）ほど明度が高く白色を示し、Ｌ軸のマイナス方向（−Ｌ＊）ほど明度が低く黒色を示す。また、ａ＊ｂ＊平面における原点（ａ＊，ｂ＊）＝（０，０）は、Ｌ軸の位置に相当し、無彩色を示す。そして、ａ＊ｂ＊平面の原点から遠ざかるほど、即ち、原点Ｏからの長さが長いほど、彩度が高い。そして、ａ＊ｂ＊平面におけるａ＊値，ｂ＊値によって色相が変わる。即ち、ａ軸からの角度θで色相が示される。なお、ａ軸のプラス方向（＋ａ＊）は赤系を示し、マイナス方向（−ａ＊）は緑系を示し、ｂ軸のプラス方向（＋ｂ＊）は黄系を示し、マイナス方向（−ｂ＊）は青系を示す。
【００３２】
第１実施例では、図５Ａに示すように、裏移り抑制画像の色相を、主画像の色相の反対の色相とする。主画像の色相の反対の色相とは、ａ＊ｂ＊平面において原点Ｏと主画像の色を示す点Ｃ１を繋ぐ直線の延長線上の点であり、点Ｃ１とは反対側に原点Ｏを越えた点の位置に相当する色相である。即ち、主画像の色を示す点Ｃ１がａ軸とプラス方向に成す角度θと裏移り抑制画像の色を示す点Ｃ２がａ軸とマイナス方向に成す角度θが等しい。言い換えれば、ａ＊ｂ＊平面において、主画像の色を示す点Ｃ１のａ＊値，ｂ＊値が共にプラスである場合、裏移り抑制画像の色を示す点Ｃ２のａ＊値，ｂ＊値は共にマイナスとなる。このように、裏移り抑制画像は主画像の色に応じた画像である。
【００３３】
具体的には、主画像の色が緑色を帯びている場合、裏移り抑制画像の色はマゼンタとなり、主画像の色が青色を帯びている場合、裏移り抑制画像の色はイエローとなり、主画像の色が赤色を帯びている場合、裏移り抑制画像の色はシアンとなる。
【００３４】
このように第１実施例では、裏移り抑制画像の色相を、主画像の色相の反対の色相とする。即ち、裏移り抑制画像の色と主画像の色を補色の関係とする。よって、主画像の色と裏移り抑制画像の色が重なると、無彩色（グレー）、又は、無彩色に近い色に視認される。そして、第１実施例では、印刷物を裏面から視認したときに、裏移り画像と裏移り抑制画像が重なって視認されるように、裏移り抑制画像を印刷する。ゆえに、第１実施例の印刷物を裏面から視認すると、主画像の形状をした無彩色の画像が視認される。仮に、裏移り抑制画像を印刷しないと、主画像の色が背景画像の裏面に裏移りするため、主画像の色が有彩色である場合に、主画像の裏移り画像が目立ち易い。
【００３５】
つまり、背景画像の裏面に背景画像を介して主画像と重なる位置に、主画像の色相の反対の色相である裏移り抑制画像を印刷することで、背景画像の裏面から視認される画像（主画像の裏移り画像と裏移り抑制画像が重なった画像）を無彩色にすることができる、又は、無彩色に近づけることができる。その結果、背景画像の裏面における主画像の裏移りを目立ち難くすることができる。言い換えれば、背景画像の裏面にて裏移りする主画像の色を目立ち難くする。なお、ａ＊ｂ＊平面において、主画像の色を示す点Ｃ１がａ軸と成す角度θと裏移り抑制画像の色を示す点Ｃ２がａ軸と成す角度θが多少ずれても良いとする。この場合であっても、背景画像の裏面から視認される画像を無彩色に近づけることができるため、主画像の裏移りを目立ち難くすることができる。
【００３６】
図５Ａでは、ａ＊ｂ＊平面において、主画像の色を示す点Ｃ１の座標が（ａ１，ｂ１）であり、裏移り抑制画像の色を示す点Ｃ２の座標が（−ａ１，−ｂ１）であり、主画像の彩度と裏移り抑制画像の彩度が等しい（原点Ｏからの距離ＯＣ１＝ＯＣ２である）。ただし、背景画像は透明でないため、主画像の色は背景画像を透して１００％透過するわけではない（具体的には、背景画像に対する主画像の透過率は５％〜５０％程度である）。そのため、背景画像の裏面から視認される主画像の裏移り画像は、主画像に比べて、低彩度であり、高明度である。
【００３７】
そこで、図５Ｂに示すように、主画像の彩度よりも、裏移り抑制画像の彩度を低くしても良い。即ち、ａ＊ｂ＊平面において、原点Ｏと主画像の色を示す点Ｃ１との距離（ＯＣ１）よりも、原点Ｏと裏移り抑制画像の色を示す点Ｃ２との距離（ＯＣ２）を短くする。そうすることで、裏移り抑制画像の彩度を、背景画像の裏面から視認される主画像の裏移り画像の彩度に近づけることができる。その結果、背景画像の裏面から視認される画像（主画像の裏移り画像と裏移り抑制画像が重なった画像）をより無彩色に近づけることができ、主画像の裏移り画像を目立ち難くすることができる。
【００３８】
また、図５Ｃに示すように、主画像の明度よりも、裏移り抑制画像の明度を高くしてもよい。即ち、Ｌ＊ａ＊ｂ＊色空間において、主画像の色を示す点Ｃ１のＬ＊値であるＬ１よりも、裏移り抑制画像の色を示す点Ｃ２のＬ＊値であるＬ２を大きくする。そうすることで、裏移り抑制画像の明度を、背景画像の裏面から視認される主画像の裏移り画像の明度に近づけることができる。その結果、背景画像の裏面から視認される画像をより無彩色に近づけることができ、主画像の裏移り画像を目立ち難くすることができる。
【００３９】
また、主画像の彩度よりも、裏移り抑制画像の彩度を低くし、且つ、主画像の明度よりも、裏移り抑制画像の明度を高くしてもよい。即ち、裏移り抑制画像は、主画像の明度よりも高い明度である特性と、主画像の彩度よりも低い彩度である特性とのうちの、少なくとも一方の特性を有するようにするとよい。その結果、背景画像の裏面から視認される画像をより無彩色に近づけることができ、主画像の裏移り画像を目立ち難くすることができる。
【００４０】
このような裏移り抑制画像をプリンター１に印刷させるために、本実施形態の印刷システムでは、プリンタードライバーが裏移り抑制画像を印刷するための印刷データを作成する。プリンタードライバーは、主画像を印刷するための印刷データに基づいて裏移り抑制画像の印刷データを作成する。主画像を印刷するための印刷データは複数の画素データから構成され、各画素データは、その画素データに対応する媒体上の領域に４色インク（ＹＭＣＫ）をそれぞれどの程度吐出するかが示される。プリンタードライバーは、例えば、主画像用の印刷データにおいて、複数の画素データごとに４色インクの各吐出量を算出し、その複数の画素データによって印刷される主画像の一部の色相、彩度、明度を算出する。そして、プリンタードライバーは、その主画像の一部と対向する裏移り抑制画像の一部の色相、彩度、明度を決定し、その裏移り抑制画像の一部を印刷するためのＹＭＣＫの各階調値（インク吐出量）を決定する。そうすることで、プリンタードライバーは、裏移り抑制画像を印刷するための印刷データを作成することができる。
【００４１】
なお、背景画像の遮蔽率（白インクの組成や単位面積あたりの白インク吐出量）に基づいて背景画像の裏面における主画像の裏移り画像の彩度，明度を算出し、裏移り抑制画像の彩度，明度を決定してもよい。また、主画像の彩度よりも裏移り抑制画像の彩度を低くするためには、各色インクの割合を調整したり、主画像とは異なる種類のインクを使用したりするとよい。また、主画像の明度よりも裏移り抑制画像の明度を高くするには、単位面積あたりのインク吐出量を小さくしたり、白インクを加えたりするとよい。また、裏移り抑制画像の印刷の有無をユーザーに選択させてもよい。
【００４２】
また、図４に示す印刷物では主画像の色を１色としているが、主画像が複数の色から構成される画像でも良い。この場合、裏移り抑制画像も、対向する主画像の色に応じて、複数の色から構成される画像となる。例えば、主画像が緑の画像と赤の画像から構成される場合、主画像における緑の画像と対向する裏移り抑制画像の部分はマゼンタインクで印刷され、主画像における赤の画像と対向する裏移り抑制画像の部分はシアンインクで印刷される。
【００４３】
＜印刷方法＞
図６から図８は、主画像、背景画像、裏移り抑制画像を重ねて印刷する印刷物（図４Ａ）を表刷りモードで印刷する印刷方法例を示す図である。説明の簡略のため、ノズル列に属するノズル数を減らし、４色インクを吐出する各ノズル列（ＹＭＣＫ）を合わせてカラーノズル列Ｃｏと示す。ノズル列における搬送方向のノズル間隔を「Ｄ」とする。カラーノズル列Ｃｏのノズルを丸（○）で示し、ホワイトノズル列のノズルを三角（△）で示す。また、実際のプリンター１では、ノズル（ヘッド４１）に対して媒体が搬送方向下流側に搬送されるが、図６から図８ではノズル（ヘッド４１）を搬送方向上流側に遷移させて印刷方法を説明する。
【００４４】
図６では、カラーノズル列Ｃｏに属するノズル＃１〜＃１５のうち、搬送方向下流側の１／３のノズル群（＃１〜＃５）を、主画像を印刷するための使用ノズルとし、搬送方向中央の１／３のノズル群（＃６〜＃１０）を、背景画像を印刷するための使用ノズルとし（背景画像の白色を調整するためのノズルとし）、搬送方向上流側の１／３のノズル群（＃１１〜＃１５）を、裏移り抑制画像を印刷するための使用ノズルとする。そして、ホワイトノズル列Ｗに属するノズル＃１〜＃１５のうち、搬送方向中央の１／３のノズル群（＃６〜＃１０）を、背景画像を印刷するための使用ノズルとし、他のノズル（＃１〜＃５，＃１１〜＃１５）を不使用ノズルとする。このように、ノズル列の１／３のノズル（５個）をそれぞれ用いて各画像が印刷される。
【００４５】
そして、ヘッド４１を移動方向に移動させながら印刷データに基づいて各使用ノズルからインクを吐出して画像を印刷する動作（パス）と、パスごとに形成される画像幅に相当する長さ「５Ｄ」だけ媒体を搬送する動作を繰り返す印刷方法を実施する。そうすると、例えば、図６に示す媒体上の領域Ａは、パス１にて裏移り抑制画像用の使用ノズルと対向し、パス２にて背景画像用の使用ノズルと対向し、パス３にて主画像用の使用ノズルと対向する。その結果、媒体上には、まず、裏移り抑制画像が印刷され、その上に背景画像が印刷され、更にその上に主画像が印刷される。図６の印刷方法では、先のパスで形成されたラスターライン間に後のパスのラスターラインが形成されることがない。よって、図６の印刷方法によって形成される画像の搬送方向の印刷解像度はノズル列におけるノズルピッチに相当する。
【００４６】
このように複数の画像を重ねて印刷する場合、媒体上の所定領域に先に印刷する画像の使用ノズル群を、後に印刷する画像の使用ノズル群よりも、搬送方向上流側のノズルに設定するとよい。そうすることで、媒体上の所定領域に対し３種類の画像をそれぞれ印刷するパスを異ならせることができる。その結果、媒体上の所定領域に対して先の画像を印刷してから後の画像を印刷するまでの乾燥時間を比較的に長くすることができ、画像の滲みを抑制することができる。
【００４７】
なお、本実施形態では、白インクと共に少量の４色インク（ＹＭＣＫインク）を適宜使用して背景画像の白色の色味を調整する。そして、背景画像を印刷するホワイトノズル列Ｗの使用ノズルの搬送方向の位置と、背景画像を印刷するカラーノズル列Ｃｏの使用ノズルの搬送方向の位置を等しくする。そうすると、背景画像を印刷するための白インクとＹＭＣＫインクを同じパスにて媒体上の所定領域に吐出することができる。その結果、背景画像を印刷するための白インクと４色インクが混ざり、背景画像の粒状感を低減することができる。また、背景画像を構成するＹＭＣＫインクの割合は白インクの割合に比べて小さいが、背景画像を印刷するホワイトノズル列Ｗの使用ノズル数と背景画像を印刷するカラーノズル列Ｃｏの使用ノズル数を等しくする。そうすると、背景画像において、ＹＭＣＫインクのドットをなるべく均一に分散させることができ、背景画像におけるＹＭＣＫインクの粒状感を低減することができる。
【００４８】
また、図６に示す印刷方法に限らず、図７や図８に示す印刷方法でもよい。図７に示す印刷方法では、各画像を印刷する使用ノズルの設定の仕方は図６の印刷方法と同じであるが、図６の印刷方法に比べて媒体搬送量が短い（５Ｄ／３）。そのため、図７の印刷方法では、先のパスで印刷されたラスターライン間に後のパスのラスターラインが印刷される。その結果、図７に示す印刷方法による画像の方が、図６に示す印刷方法による画像よりも、搬送方向の印刷解像度が高くなる。
【００４９】
また、裏移り抑制画像は、主画像ほど画質を良くする必要がなく、印刷解像度を低くしても良い。そのため、図８に示す印刷方法のように、裏移り抑制画像を印刷するための使用ノズル数（２個、＃１１〜＃１２）を、主画像を印刷するための使用ノズル数（５個、＃１〜＃５）よりも少なくしてもよい。また、裏移り抑制画像は、背景画像よりもインク吐出量が少ない（ベタ塗り印刷する必要がない）。特に、背景画像に対する主画像の透過率は低いため、例えば、主画像の明度よりも裏移り抑制画像の明度を高くする場合には、主画像を構成するインク量よりも裏移り抑制画像を構成するインク量を少なくする。即ち、裏移り抑制画像のドット密度は、主画像や背景画像のドット密度よりも小さくなる。そのため、図８に示す印刷方法のように、裏移り抑制画像を印刷するための使用ノズル数が主画像や背景画像を印刷するための使用ノズル数よりも少なくても問題はない。
【００５０】
図８に示す印刷方法では、主画像用の使用ノズル及び背景画像用の使用ノズルは先のパスで形成されたラスターライン間に後のパスでラスターラインを形成するのに対して、裏移り抑制画像の使用ノズルは先のパスで形成されたラスターライン間に後のパスでラスターラインを形成しない。このように、裏移り抑制画像用の使用ノズル数を、主画像用の使用ノズル数及び背景画像用の使用ノズル数よりも少なくすることで、主画像や背景画像を印刷するための使用ノズル数を増やすことができて印刷時間を短縮したり、主画像等の印刷解像度を高めたりすることができる。
【００５１】
なお、図６から図８に示す印刷方法は表刷りモードの印刷方法であるが、裏刷りモードで画像を印刷する場合には、搬送方向上流側のノズルを主画像用ノズルとし、搬送方向中央のノズルを背景画像用ノズルとし、搬送方向下流側のノズルを裏移り抑制画像用ノズルに設定するとよい。
【００５２】
また、３つの画像を重ねて印刷する場合に、図６から図８に示すように、ノズル列Ｗ，Ｃｏを３分割して、各画像を印刷する使用ノズルに設定するに限らない。例えば、カラーノズル列Ｃｏの全ノズルを使用して裏移り抑制画像を印刷し、次に、媒体を搬送する事なく、ホワイトノズル列Ｗ及びカラーノズル列Ｃｏの全ノズルを使用して背景画像を印刷し、次に、媒体を搬送する事なく、カラーノズル列Ｃｏの全ノズルを使用して主画像を印刷してもよい。このように媒体を搬送することなく３回のパスに亘って画像を形成する動作と媒体搬送動作とを繰り返す印刷方法でもよい。
【００５３】
＝＝＝第２実施例＝＝＝
図９は、第２実施例の印刷物を説明する図である。前述の第１実施例では、背景画像の裏面のうち、背景画像の表面において主画像が印刷される領域と対向する領域に、主画像の色相と反対の色相である裏移り抑制画像を印刷する。そうすることで、背景画像の裏面から視認される画像（主画像の裏移り画像と裏移り抑制画像が重なった画像）を無彩色にする、又は、無彩色に近づける。こうすることで、背景画像の裏面に裏移りする主画像の色味を目立ち難くすることはできるが、裏移りする主画像の形状（図９の印刷物では「Ａ」という形状）は判別されてしまう。
【００５４】
そこで、第２実施例では、背景画像の裏面の全域が同色、即ち、無彩色に視認されるように、裏移り抑制画像として、第１実施例で印刷する裏移り抑制画像に加え、背景画像の裏面のうち、背景画像の表面において主画像が印刷されない領域と対向する領域に無彩色の画像を印刷する。これらを区別するため、裏移り抑制画像のうち、主画像と対向する画像を「中心画像」と呼び、主画像と対向しない画像を「周辺画像（第２の画像に相当）」と呼ぶ。第１実施例で印刷する裏移り抑制画像が、第２実施例における中心画像に相当する。中心画像については第１実施例にて説明しているため、周辺画像について説明する。
【００５５】
周辺画像の外側の形状及び大きさは、背景画像の外側の形状及び大きさと等しくする。図９の印刷物では、背景画像が略長方形であるため周辺画像も略長方形であり、背景画像の外周と周辺画像の外周が重なる。ただし、背景画像では略長方形内の全域にインクが吐出されるのに対して、周辺画像としては、主画像と対向する領域（中心画像が印刷される領域）にインクが吐出されない。即ち、中心画像と周辺画像を合わせた画像が背景画像の全域と重なる。
【００５６】
そして、周辺画像の色は、主画像の裏移り画像と裏移り抑制画像が重なった画像の色である無彩色とする。無彩色の画像とは、図５に示すＬ＊ａ＊ｂ＊色空間のａ＊ｂ＊平面において原点Ｏ（ａ＊値＝０，ｂ＊値＝０）に相当する色の画像である。即ち、Ｌ＊ａ＊ｂ＊色空間において、周辺画像の色を示す点はＬ軸上の点となる。また、周辺画像の明度（Ｌ＊値）は、主画像の裏移り画像と裏移り抑制画像が重なった画像の明度と等しくする。例えば、主画像の裏移り画像と裏移り抑制画像が重なった画像が白に近いグレーであれば周辺画像の明度を高くし、主画像の裏移り画像と裏移り抑制画像が重なった画像が黒に近いグレーであれば周辺画像の明度を低くする。
【００５７】
このように、周辺画像の色を、主画像の裏移り画像と裏移り抑制画像が重なった画像の色と等しくする。そうすることで、背景画像の裏面側から印刷物を視認した際に、無彩色であり背景画像と同じ形状である画像が視認される。その結果、主画像の裏移り画像の形状を判別することができなくなる。つまり、第２実施例では、主画像の裏移り画像と中心画像が重なった画像と、周辺画像とを、同化させることによって、主画像の裏移り画像をより目立ち難くする。特に、主画像に文字が含まれる場合、背景画像の裏面には反転した文字（鏡像文字）が裏移りして見栄えが悪いため、主画像の裏移り画像の形状を目立ち難くすることが好ましい。なお、第１実施例と同様に、プリンタードライバーが、主画像を印刷するための印刷データに基づいて、裏移り抑制画像（周辺画像および中心画像）の印刷データを作成する。
【００５８】
また、主画像の裏移り画像と中心画像が重なった画像が完全な無彩色とならない場合がある。この場合にも、無彩色の周辺画像を印刷することで、周辺画像を印刷しないよりも、主画像の裏移り画像の形状を目立ち難くすることができる。また、主画像の裏移り画像と裏移り抑制画像が重なった画像が完全な無彩色でなく無彩色に近い色である場合に、周辺画像も同様に無彩色に近い色としてもよい。即ち、周辺画像の色相及び彩度を、主画像の裏移り画像と中心画像が重なった画像の色相及び彩度と等しくしてもよい。
【００５９】
また、図９に示す印刷物では、周辺画像と背景画像の外側の形状及び大きさを等しくし、背景画像の外周と周辺画像の外周が重なるようにしているが、これに限らない。例えば、周辺画像の外周が背景画像の外周よりも一回り小さくなるように周辺画像を印刷してもよい。この場合にも、背景画像の裏面から印刷物を視認した際に、背景画像の縁以外の領域の全域が無彩色に視認され、背景画像の裏面に裏移りする主画像の形状を目立ち難くすることができる。また、背景画像の外側の形状と周辺画像の外側の形状を異ならせてもよい。例えば、背景画像の外形は略長方形であるのに対して、周辺画像の外形を楕円形としてもよい。この場合にも、背景画像の裏面に裏移りする主画像の形状（例えば、反転文字）などを目立ち難くすることができる。
【００６０】
＝＝＝第３実施例＝＝＝
図１０は、第３実施例の印刷物を説明する図である。第３実施例では、裏移り抑制画像として、背景画像の裏面のうち、背景画像の表面において主画像が印刷されない領域と対向する領域に画像を印刷する。そして、背景画像の裏面のうち、背景画像の表面において主画像が印刷される領域と対向する領域には画像を印刷しない。なお、裏移り抑制画像の外側の形状及び大きさは背景画像の外側の形状及び大きさと等しくし、裏移り抑制画像の外周と背景画像の外周が重なる。即ち、第３実施例の裏移り抑制画像は、第２実施例の周辺画像と同じ形状となる。
【００６１】
そして、裏移り抑制画像の色相を、裏移り抑制画像と隣接する主画像の縁の色相と等しくする。図１０に示す主画像は均一の色で印刷された文字「Ａ」であるとする。この場合、主画像（文字Ａ）の縁の色相と等しい裏移り抑制画像を印刷する。即ち、背景画像の裏面における主画像の裏移り画像の周囲に、主画像の色相と同じ色相である裏移り抑制画像を印刷する。そうすることで、主画像が１色から構成される画像である場合、背景画像の裏面側から印刷物を視認した際に、主画像の色相と同じ色相である略長方形の画像が視認され、主画像の裏移り画像の形状を判別することができなくなる。つまり、第３実施例では、背景画像の裏面において、主画像の裏移り画像と裏移り抑制画像を同化させることによって、主画像の裏移りを目立ち難くする。
【００６２】
図１１Ａ及び図１１Ｂは、裏移り抑制画像の色を説明する図である。図中のＬ＊ａ＊ｂ＊色空間において、主画像の色を点Ｃ１で示し、裏移り抑制画像の色を点Ｃ３で示す。第３実施例では、裏移り抑制画像の色相を、主画像の色相と同一の色相とする。そのため、図１１Ａに示すように、ａ＊ｂ＊平面において、主画像の色を示す点Ｃ１のａ＊値，ｂ＊値が共にプラスである場合、裏移り抑制画像の色を示す点Ｃ３のａ＊値，ｂ＊値も共にプラスとなる。また、主画像の色を示す点Ｃ１がａ軸とプラス方向に成す角度θと裏移り抑制画像の色を示す点Ｃ３がａ軸とプラス方向に成す角度θは等しい。
【００６３】
そして、裏移り抑制画像の彩度および明度を主画像の彩度および明度と等しくしてもよいが（即ち、裏移り抑制画像の色を示すａ＊値，ｂ＊値，Ｌ＊値を主画像の色を示すａ＊値，ｂ＊値，Ｌ＊値と等しくしてもよいが）、主画像の色は背景画像を透して１００％透過するわけではない。そこで、裏移り抑制画像の彩度を主画像の彩度よりも低くしたり、裏移り抑制画像の明度を主画像の明度よりも高くしたりしてもよい。
【００６４】
例えば、裏移り抑制画像の彩度を主画像の彩度よりも低くする場合、図１１Ａに示すように、ａ＊ｂ＊平面において、原点Ｏと主画像の色を示す点Ｃ１との距離ＯＣ１よりも原点Ｏと裏移り抑制画像の色を示す点Ｃ３との距離ＯＣ３を短くする。そうすることで、裏移り抑制画像の彩度を、主画像の裏移り画像の彩度に近づけることができる。その結果、主画像の裏移り画像をより目立ち難くすることができる。
【００６５】
また、裏移り抑制画像の明度を主画像の明度よりも高くする場合、図１１Ｂに示すように、Ｌ＊ａ＊ｂ＊色空間において、主画像の色を示す点Ｃ１のＬ＊値であるＬ１よりも裏移り抑制画像の色を示す点Ｃ３のＬ＊値であるＬ３を高くする。そうすることで、裏移り抑制画像の明度を、主画像の裏移り画像の明度に近づけることができる。その結果、主画像の裏移り画像をより目立ち難くすることができる。  
また、主画像の彩度よりも裏移り抑制画像の彩度を低くし、且つ、主画像の明度よりも裏移り抑制画像の明度を高くしてもよい。即ち、裏移り抑制画像は、主画像の明度よりも高い明度である特性と、主画像の彩度よりも低い彩度である特性とのうちの、少なくとも一方の特性を有するようにするとよい。
【００６６】
このように、主画像の裏移り画像の色（色相、彩度、明度）と裏移り抑制画像の色（色相、彩度、明度）をより近づけることで、主画像の裏移り画像をより目立ち難くすることができる。なお、第１実施例と同様に、プリンタードライバーが、主画像を印刷するための印刷データに基づいて、裏移り抑制画像の印刷データを作成する。
【００６７】
また、第３実施例では、主画像の縁の色相と同一の色相である裏移り抑制画像を印刷するため、主画像の縁が複数色から構成される場合、主画像の縁を構成する複数色のうちの１つの色に応じて裏移り抑制画像を印刷することになる。この場合、主画像の裏移り画像の一部は裏移り抑制画像と同化させることができるが、主画像の裏移り画像の別の一部は裏移り抑制画像と同化させることができない。そのため、第３実施例は、主画像が１色で構成される場合に有効である。
【００６８】
また、図１０に示す印刷物では、裏移り抑制画像と背景画像の外側の形状及び大きさを等しくしているが、これに限らない。例えば、裏移り抑制画像の外周が背景画像の外周よりも一回り小さくなるようにしたり、背景画像の形状は略長方形であるのに対して裏移り抑制画像の形状は楕円形にしたりしてもよい。
【００６９】
図１２Ａから図１２Ｃは、２色の画像から構成される主画像に対する裏移り抑制画像の印刷例を示す。図１２Ａは、背景画像の裏面における主画像の裏移り画像を示す。ここでは、主画像を円形画像内に文字画像が印刷された画像とし、円形画像の色と文字画像の色が異なるとする。第３実施例では、背景画像の裏面のうち、背景画像の表面において主画像が印刷されない領域と対向する領域に、主画像の縁と同一の色相である裏移り抑制画像を印刷する。図１２Ａの場合、主画像の縁の色相は円形画像の色相に相当し、図１２Ｂに示すように、裏移り抑制画像の色相は円形画像の色相と同一の色相となる。その結果、文字画像の形状は判別することができるが、円形画像は裏移り抑制画像と同化し、円形画像の形状を判別することができなくなる。そのため、裏移り抑制画像を印刷しない図１２Ａに比べて、裏移り抑制画像を印刷する図１２Ｂの方が、主画像の裏移り画像を目立ち難くすることができている。
【００７０】
ここで仮に、裏移り抑制画像の色相を、主画像の縁の色相ではなく、主画像の中央の色相と同一の色相とする。即ち、図１２Ａの場合、裏移り抑制画像の色相は文字画像の色相と同一の色相となる。その結果、図１２Ｃに示すように、文字画像の形状も円形画像の形状も判別することができてしまうため、主画像の裏移り画像を目立ち難くすることができない。ゆえに、第３実施例では、主画像の縁の色相と同一の色相である裏移り抑制画像を印刷する。言い換えれば、背景画像を介して裏移り抑制画像と隣接する主画像の縁の色相と、裏移り抑制画像の色相とを等しくする。
【００７１】
図１３Ａから図１３Ｃは、２色の画像から構成される主画像に対する裏移り抑制画像の印刷例を示す。図１２では、円形画像内に、円形画像とは異なる色の文字画像が印刷された主画像を例に挙げている。これに対して、図１３では、ある色の円形画像と別の色の文字画像が重ならずに印刷された主画像を例に挙げる。この場合、裏移り抑制画像と隣接する主画像の縁の色は２色となる。
【００７２】
この場合、主画像を構成する色のうち、最も印刷面積が大きい色に応じて、裏移り抑制画像の色を決定してもよい。例えば、図１３Ａに示す主画像の裏移り画像の場合、文字画像に比べて円形画像の方が、印刷面積が大きい。よって、図１３Ｂに示すように、円形画像の縁の色相と裏移り抑制画像の色相を等しくする。その結果、文字画像の形状は判別することができるが、円形画像は裏移り抑制画像と同化し、円形画像の形状を判別することができなくなる。そのため、裏移り抑制画像を印刷しない図１３Ａに比べて、裏移り抑制画像を印刷する図１３Ｂの方が、主画像の裏移り画像を目立ち難くすることができている。
【００７３】
また、文字の裏移り画像は文字が反転して視認されるため、主画像が裏移りしていることが目立ち易い。そこで、主画像が複数色から構成される場合、文字画像の色に応じて裏移り抑制画像の色を決定してもよい。即ち、文字画像の縁の色相と裏移り抑制画像の色相を等しくする。その結果、図１３Ｃに示すように、文字画像は裏移り抑制画像と同化し、文字画像の形状を判別することができなくなり、背景画像の裏面に主画像が裏移りしていることを目立ち難くすることができる。
【００７４】
＝＝＝変形例＝＝＝
図１４は、変形例のプリンターを説明する図である。前述の実施形態では、図２に示すように、ヘッド４１が移動方向に移動する際に画像を形成する動作と、媒体Ｓを搬送方向に搬送する動作とを交互に繰り返すプリンター１を例に挙げているが、これに限らない。例えば、図１４に示すように、固定されたヘッド４１の下に媒体Ｓを通して、ヘッド４１と媒体Ｓが対向する際にヘッド４１からインクを吐出して画像を形成するプリンターでもよい。図１４のプリンターでは、４色インク（ＹＭＣＫ）をそれぞれ吐出する４つのヘッド４１が搬送方向の上流側から順に並び、最下流側に白インクを吐出するヘッド４１が位置する。このようなプリンターにおいて、例えば、図４Ａに示す表刷りモードの印刷物を印刷する場合、まず、媒体Ｓを搬送方向下流側に搬送しつつ、４色インクの各ヘッド４１によって裏移り抑制画像を印刷し、最下流側の白インクのヘッド４１によって背景画像を印刷する。その後、媒体Ｓを搬送方向上流側へ逆送りし、再度、４色インクの各ヘッド４１によって主画像を印刷する。
【００７５】
また、前述の実施形態では、白インクに４色インク（ＹＭＣＫ）を加えて、白色の色味を調整した背景画像を印刷する例を挙げているが、これに限らない。白インクだけで背景画像を印刷しても良い。この場合、例えば、図６に示す印刷方法では、カラーノズル列Ｃｏのうち、搬送方向中央の１／３のノズルは不使用ノズルとなる。また、前述の実施形態では、４色インク（ＹＭＣＫ）だけでカラー画像を印刷しているが、これに限らず、４色インクに白インクを加えてカラー画像を印刷してもよい。この場合、例えば、図６に示す印刷方法では、ホワイトノズル列Ｗのうち、搬送方向下流側の１／３のノズルが使用ノズルとなる。また、白インク以外の色インクによって背景画像を印刷してもよい。ただし、白色の背景画像を印刷する方が他の色の背景画像を印刷する場合に比べて、背景画像の裏面に主画像が裏移りし易く、裏移り抑制画像を印刷する本発明の効果がより得られる。
【００７６】
また、本発明では、裏移り抑制画像により主画像の裏移りが目立ち難くなる。そのため、裏移り抑制画像内に付加情報画像を印刷する場合に、付加情報画像を見易くすることができる。付加情報画像とは、例えば、主画像、印刷ジョブ、印刷装置、媒体に関する情報などを示す画像である。なお、裏移り抑制画像内に付加情報画像を印刷する場合、ノズル列を４分割して、媒体の所定領域に対して先に印刷する画像用の使用ノズルほど搬送方向上流側のノズルにするとよい。そうすることで、媒体の所定領域に対して各画像を印刷するパスを異ならせることができ、画像の滲みを抑制することができる。
【００７７】
＝＝＝その他の実施の形態＝＝＝
上記の各実施形態は、主としてインクジェットプリンターを有する印刷システムについて記載されているが、裏移り抑制方法等の開示が含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００７８】
＜印刷装置について＞
ノズルからのインク吐出方式は、駆動素子（ピエゾ素子）に電圧をかけて、インク室を膨張・収縮させることによりインクを吐出するピエゾ方式でもよいし、発熱素子を用いてノズル内に気泡を発生させ、その気泡によってインクを吐出させるサーマル方式でもよい。  
また、インクは水性のインクに限らず、例えば、紫外線硬化型インクでもよい。紫外線硬化型インクの場合には、媒体の吸収性やインクの浸透性の問題によって単位面積あたりのインク吐出量が制限されない。そのため、主画像と背景画像の他に裏移り抑制画像を印刷する本発明においても、主画像や背景画像のインク吐出量を低減させることなく画像を印刷することができる。
【符号の説明】
【００７９】
１  プリンター、１０  コントローラー、１１  インターフェース部、
１２  ＣＰＵ、１３  メモリー、１４  ユニット制御回路、
２０  搬送ユニット、３０  キャリッジユニット、３１  キャリッジ、
４０  ヘッドユニット、４１  ヘッド、５０  検出器群、６０  コンピューター
【図１】
2012076371.tif 000003
【図２】
2012076371.tif 000004
【図３】
2012076371.tif 000005
【図４】
2012076371.tif 000006
【図５】
2012076371.tif 000007
【図６】
2012076371.tif 000008
【図７】
2012076371.tif 000009
【図８】
2012076371.tif 000010
【図９】
2012076371.tif 000011
【図１０】
2012076371.tif 000012
【図１１】
2012076371.tif 000013
【図１２】
2012076371.tif 000014
【図１３】
2012076371.tif 000015
【図１４】
2012076371.tif 000016